(57)【要約】【課題】詰替え式ポンプ付容器において、その口部８及びポンプのシリンダ１０間の隙間を利用して簡単な構成によりポンプを容器９の口部８に確実に保持させる。【解決手段】詰替え式ポンプ付容器８は、シリンダ１０の上部に、押下げ操作されることによりノズル２ａから内容物を吐出させる吐出パイプ３が突設されたポンプを、口部８にねじキャップ２０で螺合させて構成されている。ねじキャップ２０内に、シリンダ１０の外周面に隙間を置いて下方へ延びる爪２７が形成されると共に、この爪の長さ及び前述の隙間が、口部８の内周面の縦方向の略全域に当接したシリンダ１０の外周面と、下端が口部８の最上のねじ山に載置された爪２７とにより口部８を挟持し得るように設定されている。このようにポンプを上方へ浮かせて口部８に保持させた状態で、この口部及びねじキャップ２０間に形成された隙間から内容物を補給して詰替えを行う。【選択図】          図１
2005047520.tif 000002
【特許請求の範囲】
【請求項１】
円筒状のシリンダの上部に、ばね付勢に抗して押下げ操作されることにより上端部のノズルから内容物を吐出させる吐出パイプが、装着キャップを通して突設され、シリンダの下部には吸上げパイプが下方へ向けて突設されて構成されたポンプが、容器の口部の外周面に形成された係合用凸部に装着キャップを係合させることにより、容器内に装着されると共に、内容物の詰替えに際して、装着キャップを口部から離脱させてポンプを上方へ浮かせて口部に保持させた状態で、口部及び装着キャップ間に形成された隙間から内容物を補給させるようになった詰替え式ポンプ付容器において、
装着キャップ内に、シリンダ外周面に隙間を置いて下方へ延びる爪がアーム状に形成されると共に、この爪の長さ及び前記隙間が、前記口部内周面の縦方向の略全域に当接した前記シリンダ外周面と、下端が前記口部の外周面の係合用凸部に載置された前記爪とにより前記口部を挟持し得るように設定されていることを特徴とする詰替え式ポンプ付容器。
【請求項２】
装着キャップが口部の外周面の係合用凸部としてのねじ山に螺合するねじキャップであり、爪の下端が載置される前記係合用凸部が最上段の前記ねじ山であることを特徴とする請求項１記載の詰替え式ポンプ付容器。
【請求項３】
装着キャップが口部の外周面の係合用凸部に上方からの押し込みにより係合する打栓キャップであり、爪の下端が前記係合用凸部に載置されることを特徴とする請求項１記載の詰替え式ポンプ付容器。
【請求項４】
爪が、装着キャップに一体に形成されることを特徴とする請求項１乃至請求項３のいずれか記載の記載の詰替え式ポンプ付容器。
【請求項５】
爪が、シリンダ上部に形成されたフランジ部に一体に形成されると共に、このフランジ部が口部の上縁に載置された状態で前記装着キャップが前記口部に係合することを特徴とする請求項１乃至請求項３のいずれか記載の記載の詰替え式ポンプ付容器。
【発明の詳細な説明】
【０００１】
【発明の属する技術分野】
本発明は、円筒状のシリンダの上部に、ばね付勢に抗して押下げ操作されることにより上端部のノズルから内容物を吐出させる吐出パイプが、装着キャップを通して突設され、シリンダの下部には吸上げパイプが下方へ向けて突設されて構成されたポンプが、容器の口部の外周面に形成された係合用凸部に装着キャップを係合させることにより、容器内に装着されると共に、内容物の詰替えに際して、装着キャップを口部から離脱させてポンプを上方へ浮かせて口部に保持させた状態で、口部及び装着キャップ間に形成された隙間から内容物を補給させるようになった詰替え式ポンプ付容器に関するものである。
【０００２】
【従来の技術】
特許文献１により、シャンプ等を詰替えるために、容器上部をその下側部分に対してねじ込み式に形成して、詰替え時に容器を上下に分離して開放可能にしたポンプ付液体容器が周知である。これにより、ねじ操作でポンプ側の容器部分を取外して内容物を再充填できるが、その詰替え操作に際してポンプ側に付着している内容物で置き場所を汚したり、また片手で持ったままで詰替えようとしても充填操作が難しくなる。そこで、特許文献２によれば、ポンプの入口部に接続された汲み上げパイプの上端部に、口部を係入させる係合溝が形成された突起部を備えた挿着リングが嵌着されたディスペンサ、即ちポンプ付液体容器が周知である。これにより、ポンプを上方へ浮かせた状態で口部に係止させて、口部の上方に形成された隙間から両手を使って内容物を補給することができる。また、特許文献３によれば、口部の内周面に、吸上げパイプ又はポンプ本体を保持する係合溝付きのホルダが突設された同様な目的のポンプ付液体容器が周知となっている。
【０００３】
【特許文献１】
特開平１１−２０８７５３号公報
【特許文献２】
特開平２０００−２８９７６６号公報
【特許文献３】
特開平２００３−１２００９号公報
【０００４】
【発明が解決しようとする課題】
しかしながら、特許文献２の場合、挿着リングを別部品として製作する必要があり、その取付け工程も必要になる。さらに、リングからの突起部に係合溝が形成されるために、この係合溝自体でポンプを安定した姿勢に保持する必要がある。一方、特許文献３の場合もホルダの係合溝のみで安定姿勢に保持する必要があり、口部の内周面に突設されるために、通常状態でポンプに干渉しないように構成する制約が加わる。
【０００５】
本発明は、このような点に鑑みて、容器の口部及びポンプのシリンダ間の隙間を利用して簡単な構成によりポンプを容器の口部に確実に保持させ得る詰替え式ポンプ付容器を提供することを目的とする。
【０００６】
【課題を解決するための手段】
本発明は、この目的を達成するために、請求項１により、円筒状のシリンダの上部に、ばね付勢に抗して押下げ操作されることにより上端部のノズルから内容物を吐出させる吐出パイプが、装着キャップを通して突設され、シリンダの下部には吸上げパイプが下方へ向けて突設されて構成されたポンプが、容器の口部の外周面に形成された係合用凸部に装着キャップを係合させることにより、容器内に装着されると共に、内容物の詰替えに際して、装着キャップを口部から離脱させてポンプを上方へ浮かせて口部に保持させた状態で、口部及び装着キャップ間に形成された隙間から内容物を補給させるようになった詰替え式ポンプ付容器において、装着キャップ内に、シリンダ外周面に隙間を置いて下方へ延びる爪がアーム状に形成されると共に、この爪の長さ及び前記隙間が、前記口部内周面の縦方向の略全域に当接した前記シリンダ外周面と、下端が前記口部の外周面の係合用凸部に載置された前記爪とにより前記口部を挟持し得るように設定されていることを特徴とする。
【０００７】
詰替えに際して、装着キャップを口部から離脱させてポンプを上方へ浮かせた状態で、爪の下端を口部の係合用凸部に載置させると、口部内周面の爪に沿った縦方向の略全域に当接したシリンダ外周面と、爪とで口部を挟持した状態で、ポンプが口部に保持される。
【０００８】
【発明の実施の形態】
図１乃至図３を基に本発明の実施の形態の一例による詰替え式ポンプ付容器を説明する。例えばシャンプ、リンス等が充填される容器９に装着される押下げ操作式のポンプは、ばね付勢下で押下げ操作されるピストン式の吐出パイプ３が、円筒状のシリンダ１０の上部外周に取付けられた装着キャップとしてのねじキャップ２０を通して突設され、その下部には吸上げパイプ５が下方へ向けて突設されると共に、ねじキャップ２０で容器９の口部８に装着されるように構成されている。
【０００９】
吐出パイプ３は、例えば特開平９−１７３９２０号公報に記載されているように、上端部にノズル２ａ付の押下げ釦２が取付けられ、コイルばね１５に抗して押下げ操作されると、弁室１１内の圧力を高めると共に、ピストン弁１７がスライドし、開放した連通孔１３を通して吐出パイプ３が弁室１１と連通し、その弁室１１内の内容物を通してノズル２ａから吐出させるようになっている。吐出パイプ３の押込みを解除すると、コイルばね１５の付勢力によって吐出パイプ３を上昇させて連通孔１３を閉鎖させ、弁室１１内の負圧化により、吸上げパイプ５から容器９内の内容物が吸上げられる。吐出パイプ３内には、液垂れ防止用のボール弁１４が設けられ、押込み操作で吐出パイプ３が弁室１１と連通すると開き、その解除で上昇すると閉じる。さらに、弁室１１内にはボール弁１６が設けられ、押下げ釦２の押し下げ操作で弁室１１内の圧力が高められると閉じると共に、手を離して弁室１１内が負圧化されると、開放して内容物が吸い上げられる。
【００１０】
ねじキャップ２０は、合成樹脂製であり、口部８の外周面に形成されたねじ山８ａに螺合するねじ山付きの周面部２２を有するキャップ本体２１と、その上面部２３に配置され、かつシール状態で吐出パイプ３の昇降をガイドする筒部２８を有するガイド部２９と、上面部２３に下方から着座するリング状座部２５ａ、ガイド部２９の円形状係合溝２９ａに嵌合して筒部２８の外周面とでシリンダ１０の上部を嵌合させる上側筒部２５ｂ及び周面部２２との間にパッキン２４を装着させる下側筒部２５ｃを有するポンプ保持部材２５（図２参照）より構成される。これにより、シリンダ１０は、上側筒部２５ｂ及び筒部２８間に嵌入されて保持された状態でねじキャップ２０をパッキン２４の装着状態で口部８に螺合させることにより、口部８に装着される。
【００１１】
この種のねじキャップを口部に螺合させることにより容器内に挿入されて、吐出パイプの押下げ操作により内容物を吐出させるようになったポンプは前述のものに限らず種々周知であるが、本発明により、射出成形されるねじキャップの上面部分、即ちポンプ保持部材２５の下側筒部２５ｃには、図２に示すように、一体成形によりシリンダ１０の外周面１２及び口部８にそれぞれ隙間を置くように、部分的に下方へ延長されてアーム状の爪２７が形成されている。この爪のシリンダ１０の外周面１２との隙間は、口部８を挟持するように、その厚みに対応して設定されている。また、長さは、下端２７ａが口部８の最上段のねじ山８ａに当接した状態で、外周面１２が口部８の内周面の爪２７に沿った縦方向全域に当接し、かつポンプ本体１の途中位置まで延びて上方へ浮いたねじキャップ２０及び口部８間に充填に十分な隙間を形成するように設定されている。
【００１２】
このように構成された詰替え式ポンプ付容器の動作は次の通りである。容器９の口部８には、図１に示すように、ねじキャップ２０が螺合されることにより、吸上げパイプ５が容器９の内容物に浸漬され、吐出パイプ３が口部８から上方へ突出した状態で、シリンダ１０の上部が口部８に保持されている。爪２７は口部８に干渉することなく、シリンダ１０の外周面１２に沿って容器９に挿入されている。
【００１３】
押下釦２が押下げ操作されると、ノズル２ａから内容物が吐出される。内容物を使用し尽くしたことにより、詰替える際には、ねじキャップ２０を回転させて口部８から外し、上方へ持上げて吸上げパイプ５が容器９内に挿入されている状態で、図３に示すように、側方へ僅かにずらして外周面１２を口部８の内周面に当接させた状態で下降させ、爪２７の下端２７ａを最上段のねじ山８ａに載置させると、自ずと爪２７と外周面１２とで口部８を挟持する状態になる。これにより、ねじキャップ２０及び口部８間に形成された隙間から内容物を再充填させ、次いでねじキャップ２０を口部８に再度螺合させて、使用可能な状態に復帰させる。
【００１４】
爪２７は下側筒部２５ｃに対応した断面円弧状であることにより、撓み難く確実に口部８に係合する。また、爪２７は単に浅く挟持するだけでも、外周面１２が口部８の縦方向全域に当接することにより、ポンプの内側寄りの重心位置に起因してシリンダ１０が内側へ傾倒するのが回避され、位置的に安定して保持される。
【００１５】
尚、前述の実施の形態では、３部材で構成されるねじキャップ２０の１部材に爪２７が一体に形成される場合について説明したが、部材の少ないより簡単な構成のねじキャップの上面部に、爪を一体成形で下設することも当然可能である。
【００１６】
図４は別の実施の形態の詰替え式ポンプ付容器を説明する。容器３９に装着される押下げ操作式のポンプは、円筒状のシリンダ３１に周知のように構成されることにより、ノズル３２ａ付の押下げ釦３２が取付けられ、かつばね付勢に抗して押下げ操作されるピストン式の吐出パイプ３３が、容器３９の口部３８に装着された装着キャップとして打栓キャップ５０を通してばね付勢状態で突出すると共に、シリンダ３１の下部には吸上げパイプ３６が下方へ向けて突設されている。
【００１７】
打栓キャップ５０は、口部３８の外周面に形成された環状の係合用凸部３５に係合する凸部５２ａが間欠的に形成された下段周面部５２と、シリンダ３１を係合させるように、その外径に対応した中段周面部５３と、吐出パイプ３３の昇降をガイドする摺動面を内周面に有し、かつ外周面に押下げ釦３２に形成された環状突起３６を係合させる係合溝５８が形成された上段周面部５４とを備えている。
【００１８】
シリンダ３１の上部外周面には、環状のシール部材４２を介して口部３８の上縁部に載置されるフランジ部３９が突設されている。これにより、凸部３５に凹部５２ａが打栓で係合させられた状態で、下段周面部５２及び中段周面部５３間の階段面部５５により、口部３８の上縁部にフランジ部３９が圧接された状態で、シリンダ３１が口部３８に装着される。ポンプの出荷時点では吐出パイプ３３を押下げて突起３６を係合溝５８に係合させた低い姿勢を占めており、購入した使用者が上方へ引張って離脱させると図示の使用可能状態になり、押下げ釦３２で吐出パイプ３３を押下げ操作すると、ノズル３２ａから内容物が吐出される。
【００１９】
この種の打栓キャップを口部に押込んで容器内に装着され、また引抜くことのできる押下げ操作式のポンプも種々周知であるが、本発明により、打栓キャップ５０に組込まれるフランジ部３９には、シリンダ３１の外周面３７及び口部３８にそれぞれ隙間を置くように、下方へ延びるアーム状の爪４０が射出成形により一体に形成されている。この爪の外周面３７との隙間は、口部３８を挟持するように、その厚みに対応して設定されている。
【００２０】
詰替える際には、打栓キャップ５０を口部３８から外し、上方へ持上げて吸上げパイプ３６が容器３９内に挿入されている状態で、図５に示すように、外周面３７を口部３８の内周面に爪４０に対向する縦方向全域で当接させて、爪４０の下端４１を凸部３５に載置させると、自ずと爪４０と外周面３７とで口部８を挟持する状態になる。
【００２１】
【発明の効果】
請求項１の発明によれば、詰替え時に、装着キャップの内側に形成された簡単な構成の爪の下端が口部の凸部に載置されるだけで、ポンプが構成されるシリンダの外周面とで口部を挟持し、ポンプを口部に沿った位置に安定状態で保持することができる。シリンダ外周面が爪に対向する口部内周面の縦方向全域に当接することにより、ポンプがその重心で傾倒するのが確実に抑制される。
【００２２】
請求項２又は請求項３の発明により、ポンプを口部に保持可能にする装着キャップとしては通常のねじキャップ又は打栓キャップを対象にできる。請求項４又は請求項５の発明により、爪は、装着キャップ自体又はこれに組込まれるようにシリンダ上部に形成されたフランジ部に、一体成形により簡単に構成される。
【図面の簡単な説明】
【図１】本発明の実施の形態による詰替え式ポンプ付容器の断面図である。
【図２】同詰替え式ポンプ付容器のねじキャップの要部斜視図である。
【図３】同詰替え式ポンプ付容器の詰替え時のポンプの保持状態を説明する側面図である。
【図４】別の実施の形態による詰替え式ポンプ付容器の断面図である。
【図５】図４による詰替え式ポンプ付容器の詰替え時のポンプの保持状態を説明する側面図である。
【符号の説明】
３，  ３３  吐出パイプ
５，３６  吸上げパイプ
８，  ３８  口部
８ａ  ねじ山
９，３９  容器
１０，  ３１  ポンプのシリンダ
１２，  ３７  シリンダの外周面
２０  ねじキャップ
２７，  ４０  爪
３９  フランジ部
３５  係合用凸部
５０  打栓キャップ
【図１】
2005047520.tif 000003
【図２】
2005047520.tif 000004
【図３】
2005047520.tif 000005
【図４】
2005047520.tif 000006
【図５】
2005047520.tif 000007